(57)【特許請求の範囲】
【請求項１】
被細断物を細断するシュレッダーの投入口機構であって、
被細断物が投入口される投入口と、
前記投入口から平行に伸びる内側内側面及び外側内側面により形成される通路開口間隔を有する被細断物通路と、
前記被細断物通路の途中に設けられ、前記投入口の幅方向の全幅に亘って前記通路開口間隔を制限するように、制限開口間隔を形成する通路制限部材と、
前記通路制限部材を付勢するための付勢手段と、
を有し、
前記被細断物通路の内側内側面及び外側内側面のいずれかの内側面から他方の内側面への突出方向へと前記付勢手段で付勢されて突出されることにより、未使用時には前記通路開口間隔は前記通路制限部材によって閉じたままであり、
前記投入口から被細断物が投入されると、前記被細断物通路の通路開口間隔よりも厚みがなく、且つ前記制限開口間隔よりも厚みがある被細断物が前記投入口から投入されて前記被細断物通路を通過する際に、前記通過する被細断物の厚みに応じて前記通路制限部材が反付勢方向の水平方向に摺動することで前記被細断物の厚み分だけ前記制限開口間隔が拡がるようにされてなり、
前記被細断物の投入方向とは逆方向である被細断物の戻り方向から前記通路制限部材に圧力がかかると、前記付勢手段の作用によって、前記通路制限部材が反付勢方向の水平方向に摺動するとともに前記通路制限部材が回動せしめられて前記被細断物の厚み分だけ拡がった前記制限開口間隔よりもさらに前記制限開口間隔が拡がった拡大制限開口間隔が形成されるようにしてなる、シュレッダーの投入口機構。
【請求項２】
前記付勢手段が、バネ部材であり、前記バネ部材の弾性力によって前記通路制限部材が付勢されてなる、請求項１記載のシュレッダーの投入口機構。
【請求項３】
請求項１又は２記載のシュレッダーの投入口機構を有する、シュレッダー。
【発明の詳細な説明】
【技術分野】
【０００１】
本発明は、廃棄用紙などの被細断物を細断するシュレッダーの投入口機構及びシュレッダーに関する。
【背景技術】
【０００２】
シュレッダーは、オフィス等で発生した不要文書等の被細断物をその内容の判別が不能までに細断刃で細断する機械である。
【０００３】
最大細断枚数を多くし、１度に大量の枚数に細断可能なシュレッダーが開発されている。
【０００４】
これら大量枚数細断可能タイプのシュレッダーでは、被細断物を投入する投入口の隙間は、当然のことながら、１度に細断できる枚数が多ければ多いほど広げなければならない。
【０００５】
そして、投入口の隙間は広ければ広い程、ユーザーにとっては危険性及び誤投入の可能性が増えることになる。
【０００６】
一方、例えば、シュレッダーの投入口の案内路の開口幅を紙葉類の移動方向に応じて変更し、送り方向開口幅を細断可能な最大枚数の紙葉類の厚さにほぼ等しく設定し、紙葉類を投入口側へ戻す場合には案内路の開口幅を送り方向開口幅より広くし戻り方向開口幅も変更できるようにしたシュレッダーが提案されている（特許文献１）。
【０００７】
しかしながら、特許文献１の場合、送り方向開口幅は、細断方向（送り方向）からは固定されているため、大量枚数を細断する場合には、送り方向開口幅は常時広いままである。また、戻り方向開口幅を広くすることは、戻り方向からの力に対して開口幅切り換え手段が回転することにより行われるが、回転の力で開口幅を変更すると負荷の増大となってしまう。
【先行技術文献】
【特許文献】
【０００８】
【特許文献１】特開２００２−１１３６７号公報
【発明の概要】
【発明が解決しようとする課題】
【０００９】
本発明は、上記従来技術の問題点に鑑みてなされたもので、少量枚数から大量枚数までの様々な枚数に対応でき、且つ安全性及び静音性、使い易さの向上を図ることができるシュレッダーの投入口機構及びシュレッダーを提供することを目的とする。
【課題を解決するための手段】
【００１０】
上記課題を解決するために、本発明のシュレッダーの投入口機構は、被細断物を細断するシュレッダーの投入口機構であって、被細断物が投入口される投入口と、前記投入口から平行に伸びる内側内側面及び外側内側面により形成される通路開口間隔を有する被細断物通路と、前記被細断物通路の途中に設けられ、前記通路開口間隔を制限するように、前記被細断物通路の内側内側面及び外側内側面のいずれかの内側面から他方の内側面への突出方向へと突出されることにより、制限開口間隔を形成する通路制限部材と、前記通路制限部材を付勢するための付勢手段と、を有し、前記通路制限部材は、水平方向に摺動可能とされ、且つ前記突出する方向に付勢されてなり、前記被細断物通路の通路開口間隔よりも厚みがなく、且つ前記制限開口間隔よりも厚みがある被細断物が前記投入口から投入されて前記被細断物通路を通過する際に、前記通過する被細断物によって前記通路制限部材が反付勢方向へと摺動せしめられて前記被細断物の厚み分だけ前記制限開口間隔が拡がるようにしてなる。
【００１１】
前記付勢手段が、バネ部材であり、前記バネ部材の弾性力によって前記通路制限部材が付勢されてなるのが好ましい。
【００１２】
上述したように、本発明のシュレッダーの投入口機構では、被細断物の投入方向からは、その被細断物の厚み分だけ前記制限開口間隔が拡がる機構となっているが、かかる機構に加えて、前記被細断物の投入方向とは逆方向である被細断物の戻り方向（被細断物の排出方向）から前記通路制限部材に圧力がかかると、前記被細断物の厚み分だけ拡がった前記制限開口間隔よりもさらに前記制限開口間隔が拡がるようにしてなるのが好ましい。そして、被細断物の戻り方向（被細断物の排出方向）から取り出すのが、少量の被細断物の場合、低負荷にて取り出しを可能とし、大量の被細断物の場合には、そこから更に前記制限開口間隔が拡がるようにすれば、２段階で前記制限開口間隔が拡がるので好適である。
【００１３】
本発明のシュレッダーは、前記シュレッダーの投入口機構を有するものである。さらに詳しくは、本発明のシュレッダーは、前記シュレッダーの投入口機構を筐体に設け、前記筐体内部に細断屑を収容する屑収容部を設け、前記投入口から投入された被細断物を細断するための細断刃を備えた細断機構部と、を含むものである。細断刃は正逆回転可能とされるのが好適である。
【００１４】
本発明のシュレッダーの投入口機構は、以下のような機構とすることができる。
（１）被細断物が投入される投入口における通路開口間隔を、被細断物の厚みによって自動的に調整できる投入口の機構（適量枚数を細断する場合は、投入口における通路開口間隔は狭いままであり、大量枚数を細断する場合はその厚さに応じて拡がる。）。
（２）通路開口間隔は、０ｍｍ以上から任意の幅まで調整可能な機構（未使用時には常時投入口における通路開口間隔は閉じたままであり、被細断物に応じて拡がる機構。被細断物の厚さ分だけ拡がる機構であるため、細断機構部からの騒音が低減される。）。
（３） 被細断物の厚みによって調整される機構を利用し、細断される被細断物の量を細断前に把握することも可能。
（４） 被細断物の投入方向からは、通路開口間隔がその被細断物の厚み分広がる機構。被細断物の戻り方向からは、通路開口間隔がそれよりも更にもう１段拡がり、細断物を取り出し易い機構。これにより、細断の途中で引っかかってしまった文書等の被細断物を投入口から引っ張り出すことが容易にできる。
【発明の効果】
【００１５】
本発明によれば、少量枚数から大量枚数までの様々な枚数に対応でき、且つ安全性及び静音性、使い易さの向上を図ることができるシュレッダーの投入口機構及びそれを組み込んだシュレッダーを提供することができるという著大な効果を奏する。
【００１６】
また、被細断物の厚さに応じて投入口の隙間が自動的に調整される機構のため、被細断物の誤投入の機会は大幅に低減され、ユーザーへの安全性も向上される。そして、ある一定の細断枚数以上からかかる調整機構が作動するので、使用者は調整機構の動作感覚が伝わり、大量の枚数を細断するという意思を持つことが出来、意識的にも安全性が向上すると考えられる。さらに、被細断物の厚さに沿って投入口の通路開口間隔が拡がるので、前記通路制限部材が防音壁の役割を果たすことになり、投入口の隙間から漏れる細断時の騒音も低減され静音性が向上する。さらに視覚的にも、被細断物の厚さに応じて投入口の隙間が自動的に調整される機構のため、従来よりも細断機構部の回転する細断刃が見えにくくなることから、使用時のユーザーの恐怖感も低減されると考えられる。
【図面の簡単な説明】
【００１７】
【図１】本発明のシュレッダーの投入口機構の一つの実施の形態を示す概略断面図である。
【図２】図１の状態から制限開口間隔が拡がった状態を示す概略断面図である。
【図３】本発明のシュレッダーの投入口機構の一つの実施の形態を背面側から示す概略斜視図である。
【図４】図２の状態よりもさらに間隔が拡がった拡大制限開口間隔が形成された状態を示す概略断面図である。
【発明を実施するための形態】
【００１８】
以下に本発明の実施の形態を説明するが、これら実施の形態は例示的に示されるもので、本発明の技術思想から逸脱しない限り種々の変形が可能なことはいうまでもない。図示において、同一部材は同一符号であらわされる。
【００１９】
図１〜図４に本発明のシュレッダーの投入口機構の一つの実施の形態を示す。図１〜図４において、符号１０は本発明のシュレッダーの投入口機構を示す。
【００２０】
シュレッダーの投入口機構１０は、被細断物を細断するシュレッダーの投入口機構であって、被細断物が投入口される投入口１２と、前記投入口１２から平行に伸びる内側内側面１４及び外側内側面１６により形成される通路開口間隔Ｄ１を有する被細断物通路１８と、前記被細断物通路１８の途中に設けられ、前記通路開口間隔Ｄ１を制限するように、前記被細断物通路１８の内側内側面１４及び外側内側面１６のいずれかの内側面から他方の内側面への突出方向Ａへと突出されることにより、制限開口間隔Ｄ２を形成する通路制限部材２０と、前記通路制限部材２０を付勢するための付勢手段２２と、を有し、前記通路制限部材２０は、水平方向に摺動可能とされ、且つ前記突出する方向Ａに付勢されてなり、
前記被細断物通路１８の通路開口間隔Ｄ１よりも厚みがなく、且つ前記制限開口間隔Ｄ２よりも厚みがある被細断物が前記投入口１２から投入されて前記被細断物通路１８を通過する際に、前記通過する被細断物によって前記通路制限部材２０が反付勢方向Ｂへと摺動せしめられて前記被細断物の厚み分だけ前記制限開口間隔Ｄ２が拡がるようにしてなるように構成されている。
【００２１】
図示例では、図１及び図２によく示される如く、前記突出方向Ａは、前記被細断物通路１８の内側内側面１４から外側内側面１６へ突出されようにした例を示した。また、図示例において、被細断物は、被細断物の投入方向Ｐから投入される。被細断物の戻り方向Ｑは、投入方向Ｐとは逆方向となる。また、図示例において、符号２４ａ，２４ｂはフレーム部材であり、フレーム部材２４ａ，２４ｂを介してシュレッダーの筐体へとシュレッダーの投入口機構１０が取り付けられる。
【００２２】
前記付勢手段２２としては、バネ部材の例を示した。前記付勢手段２２である前記バネ部材の弾性力によって前記通路制限部材２０は、突出方向Ａへと付勢されている。前記付勢手段２２である前記バネ部材の作用する力の３つの向きを図２に矢印Ｓで示した。
【００２３】
フレーム部材２４ａ，２４ｂには、ガイド棒２６が横架されており、通路制限部材２０の長孔２８が係合せしめられる。通路制限部材２０は前記長孔２８の作用と当接フレーム３４と当接するスライドレール３０の作用によって、水平方向に摺動可能とされている。符号３２は、マイクロスイッチであり、前記制限開口間隔Ｄ２が大きく開いた場合（例えば設定上限以上の間隔開いた場合）、マイクロスイッチ３２が動作して、シュレッダーの細断刃の正回転を停止するようにする。これにより、シュレッダーの安全性が向上する。
【００２４】
上述した構成により、投入方向Ｐからの力により、前記通路制限部材２０が水平方向の反付勢方向Ｂに摺動し、前記被細断物の厚み分だけ前記制限開口間隔Ｄ２が拡がるようにされている。
【００２５】
このようにすれば、設定により、例えば、(i)通常時（非細断時）には、前記制限開口間隔Ｄ２を定格枚数分程度の隙間にしておき、大量枚数細断時にその厚さ分だけ拡がるように設定できる。このように、常に大量枚数分の制限開口間隔Ｄ２が開いているわけではないため、前記通路制限部材２０が防音壁となり細断機構部からの騒音を低減することができる。
また、設定により、例えば、(ii)通常時（非細断時）には、前記制限開口間隔Ｄ２を限りなくゼロに近づけることで、前記通路制限部材２０が防音壁となり細断機構部からの騒音をさらに低減するように設定することもできる。
但し、これらの場合であっても、投入方向Ｐからの前記制限開口間隔Ｄ２が拡がる大きさは、ユーザーの安全を考慮した大きさまでとする。
【００２６】
シュレッダーの投入口機構１０は、前記被細断物の投入方向Ｐとは逆方向である被細断物の戻り方向Ｑからの力でも、投入方向Ｐと同様に前記通路制限部材２０が反付勢方向Ｂの水平方向へと摺動せしめられて制限開口間隔Ｄ２が拡がる。少量の被細断物であれば、拡がった制限開口間隔Ｄ２から低負荷にて引っ張りだすことができる。
【００２７】
しかし、大量の被細断物が引っかかってしまった場合、引っ張りだそうとする力によって、戻り方向Ｑからの力が増大する。この場合、図４によく示される如く、シュレッダーの投入口機構１０は、前記被細断物の投入方向Ｐとは逆方向である被細断物の戻り方向Ｑから前記通路制限部材２０に前記通路制限部材２０が回動するだけの圧力がかかると、前記スライドレール３０の当接が外れて、前記通路制限部材２０が前記ガイド棒２６を支点として回動する。これは前記付勢手段２２である前記バネ部材の作用でもある。すなわち、前記付勢手段２２である前記バネ部材は、水平方向と上下方向の力を同時に作用されるように傾斜して設けられている。これにより、前記被細断物の厚み分だけ拡がった前記制限開口間隔よりもさらに前記制限開口間隔が拡がった拡大制限開口間隔Ｄ３が形成されるようにされている。
【００２８】
上述のように構成することで、被細断物の戻り方向（被細断物の排出方向）から取り出すのが、少量の被細断物の場合、低負荷にて取り出しを可能とし、大量の被細断物の場合には、そこから更に前記制限開口間隔が拡がるため、２段階で前記制限開口間隔が拡がるようになる。
【００２９】
そして、かかるシュレッダーの投入口機構１０をシュレッダーに組み込むことで、少量枚数から大量枚数までの様々な枚数に対応でき、且つ安全性及び静音性、使い易さの向上を図ることができるシュレッダーとなる。
【符号の説明】
【００３０】
１０：本発明のシュレッダーの投入口機構、１２：投入口、１４：内側内側面、１６：外側内側面、１８：被細断物通路、２０：通路制限部材、２２：付勢手段、２４ａ，２４ｂ：フレーム部材、２８：長孔、３０：スライドレール、３２：マイクロスイッチ、３４：当接フレーム、Ａ：通路制限部材の突出方向、Ｂ：反付勢方向、Ｄ１：通路開口間隔、Ｄ２：制限開口間隔、Ｄ３：拡大制限開口間隔、Ｐ：被細断物の投入方向、Ｑ：被細断物の戻り方向、Ｓ：バネ部材の作用する力の向き。
【図１】
0006433239.tif 000002
【図２】
0006433239.tif 000003
【図３】
0006433239.tif 000004
【図４】
0006433239.tif 000005